(57)【要約】【課題】車載モータと電気エネルギーの授受を行う蓄電装置を保護しつつ、車載モータにより車両を滑らかに走行させる。【解決手段】制御装置１７は、キャパシタ１３を構成する何れかのキャパシタセルのセル電圧が回生制限電圧ＶＲを超えたと判定されたときに、検出したキャパシタ１３の温度においてセル電圧が回生禁止電圧ＶＵに到達するときの総電圧（総電圧上限値の予測値ＳＶＵ）を予測する。制御装置１７は、検出された温度以外の温度に対して総電圧上限値の予測値ＳＶＵを予測し、総電圧上限値の予測値ＳＶＵの温度依存性のデータとして記憶装置１８に記憶する。制御装置１７は、検出されたキャパシタ１３の現在の温度に応じた総電圧上限値の予測値ＳＶＵを記憶されたデータから検索し、取得した総電圧上限値の予測値ＳＶＵと総電圧検出値ＳＶＥとの偏差に応じて走行用モータ１５の回生動作を制御する。【選択図】      図１
2004180394.tif 000002
【特許請求の範囲】
【請求項１】
車両の駆動源とされる車載モータと、
複数のセルが接続されて構成され、前記車載モータの回生電力によって充電される蓄電装置と、
前記蓄電装置の前記複数のセルの端子間電圧の和である総電圧を検出する総電圧検出手段と、
前記複数のセルの何れかのセルの端子間電圧が所定の回生制限電圧を超えたか否かを判定するセル電圧判定手段と、
前記蓄電装置の温度を検出する温度検出手段と、
前記セル電圧判定手段により前記何れかのセルの端子間電圧が前記回生制限電圧を超えたと判定されたときに、前記温度検出手段により検出される前記温度に基づき、前記何れかのセルの端子間電圧が前記回生制限電圧よりも大きい回生禁止電圧に到達するときのその温度における前記総電圧を予測する総電圧予測手段と、
前記予測されたその温度における前記総電圧と予め設定された前記セルの温度特性に基づいて、他の温度において前記セルの端子間電圧が前記回生禁止電圧に到達するときの前記総電圧を予測して記憶手段に記憶する温度変化予測手段と、
前記温度検出手段で検出された現在の温度に対応して前記記憶手段に記憶されている前記総電圧と、前記総電圧検出手段で検出された前記総電圧との偏差に応じて前記車載モータの回生量を制御する回生制御手段と
を備えることを特徴とする車載モータの回生制御装置。
【発明の詳細な説明】
【０００１】
【発明の属する技術分野】
本発明は、車載モータの回生制御装置に関する。
【０００２】
【従来の技術】
従来、例えば二次電池等からなる複数の単位セルを直列に接続してなる組電池（バッテリ）において、各単位セルに並列に接続されたセル電圧検出回路およびバイパス回路を備え、各セル電圧検出回路により検出される端子間電圧に応じて各単位セルが満充電状態か否かを判定し、満充電状態であると判定されたセルへの充電電流をバイパス回路へ通電させることで各単位セルの端子間電圧のばらつきを調整すると共に、検出される端子間電圧に応じて各単位セルへの充電電流を設定し、各単位セルが過充電状態となることを防止するバッテリの充電装置が知られている（例えば、特許文献１参照）。
そして、このようなバッテリを駆動用電源として車両に搭載し、バッテリからの電力供給によって走行用モータを駆動させると共に、車両の減速時等において走行用モータの回生作動により発生する回生エネルギーをバッテリに蓄電させ、バッテリと走行用モータとの間で電気エネルギーの授受を行うように構成した車両が知られている。
【０００３】
【特許文献１】
特開平４−２９９０３２号公報
【０００４】
【発明が解決しようとする課題】
ところで、上記従来技術の一例に係るバッテリの充電装置においては、セルが満充電状態であると判定されると、セルに対する充電電流をゼロまたはセルの自己放電電流まで低減させるように設定されている。従って、このようなバッテリの充電装置を車両に搭載した場合、例えば車両の減速時等において走行用モータの回生作動により発生する回生エネルギーをバッテリに充電している状態でセルが満充電状態であると判定されると、走行用モータの回生量がゼロまたはゼロ近傍の値まで低減されることになる。これにより、車両の制動動作に運転者が予期しない急激な変化が生じてしまう場合があり、運転者が車両の挙動に違和感を感じてしまう虞がある。
また、各単位セルが満充電状態か否かを判定する際の判定条件は、バッテリの温度に応じて変更されることが望ましく、この場合には、バッテリの温度変化に応じて走行用モータの回生量がゼロまたはゼロ近傍の値まで急激に低減されてしまう虞がある。
本発明は上記事情に鑑みてなされたもので、車載モータと電気エネルギーの授受を行う蓄電装置を保護しつつ、車載モータにより車両を滑らかに走行させることが可能な車載モータの回生制御装置を提供することを目的とする。
【０００５】
【課題を解決するための手段】
上記課題を解決して係る目的を達成するために、請求項１に記載の本発明の車載モータの回生制御装置は、車両の駆動源とされる車載モータ（例えば、実施の形態における走行用モータ１５）と、複数のセル（例えば、実施の形態におけるキャパシタセル）が接続されて構成され、前記車載モータの回生電力によって充電される蓄電装置（例えば、実施の形態におけるキャパシタ１３）と、前記蓄電装置の前記複数のセルの端子間電圧の和である総電圧を検出する総電圧検出手段（例えば、実施の形態における電圧センサ２２）と、前記複数のセルの何れかのセルの端子間電圧（例えば、実施の形態におけるセル電圧）が所定の回生制限電圧（例えば、実施の形態における回生制限電圧ＶＲ）を超えたか否かを判定するセル電圧判定手段（例えば、実施の形態におけるステップＳ０２）と、前記蓄電装置の温度を検出する温度検出手段（例えば、実施の形態におけるキャパシタ温度センサ２３）と、前記セル電圧判定手段により前記何れかのセルの端子間電圧が前記回生制限電圧を超えたと判定されたときに、前記温度検出手段により検出される前記温度に基づき、前記何れかのセルの端子間電圧が前記回生制限電圧よりも大きい回生禁止電圧（例えば、実施の形態における回生禁止電圧ＶＵ）に到達するときのその温度における前記総電圧（例えば、実施の形態における総電圧上限値の予測値ＳＶＵ）を予測する総電圧予測手段（例えば、実施の形態におけるステップＳ０９）と、前記予測されたその温度における前記総電圧と予め設定された前記セルの温度特性に基づいて、他の温度において前記セルの端子間電圧が前記回生禁止電圧に到達するときの前記総電圧を予測して記憶手段（例えば、実施の形態における記憶装置１８）に記憶する温度変化予測手段（例えば、実施の形態におけるステップＳ１０）と、前記温度検出手段で検出された現在の温度に対応して前記記憶手段に記憶されている前記総電圧（例えば、実施の形態における総電圧上限値の予測値ＳＶＵ）と、前記総電圧検出手段で検出された前記総電圧（例えば、実施の形態における総電圧検出値ＳＶＥ）との偏差に応じて前記車載モータの回生量を制御する回生制御手段（例えば、実施の形態におけるステップＳ０４）とを備えることを特徴としている。
【０００６】
上記構成の車載モータの回生制御装置によれば、総電圧予測手段は、各複数のセルの何れかのセルの端子間電圧が所定の回生制限電圧を超えたときに、例えば、この時点で総電圧検出手段により検出される総電圧に、回生制限電圧と回生禁止電圧との差分の複数のセルに亘る積算値を加算することによって、回生制限電圧を超えた何れかのセルの端子間電圧が回生禁止電圧に到達するときの総電圧を予測する。そして、温度変化予測手段は、この総電圧の予測値を、この時点で温度検出手段により検出される温度に対応させると共に、さらに、セルの温度特性に基づき、他の温度での総電圧を予測し、総電圧の予測値の温度に応じた変化つまり温度依存性のデータを作成し、記憶手段に記憶する。
回生制御手段は、適宜のタイミングで温度検出手段により検出される温度に応じて、作成された温度依存性のデータを検索し、総電圧の予測値を取得すると共に、取得した総電圧の予測値と、検出される総電圧との偏差に応じて車載モータの回生量を制御し、例えば偏差が小さくなることに伴い、回生量が減少するように、あるいは、偏差が大きくなることに伴い、回生量が増大するように設定する。
【０００７】
これにより、検出されるキャパシタの温度に応じて、何れかのセルの端子間電圧が回生禁止電圧に到達したときの総電圧の予測値が変動する場合であっても、適切なタイミング、例えば検出される総電圧と予測される総電圧との差異が過剰に小さくなるタイミングよりも以前のタイミングで、総電圧の差異に応じた回生制御を開始することができる。すなわち、総電圧の予測値の温度依存性のデータを作成しておくことにより、検出される総電圧と予測される総電圧との差異の温度に応じた変化を検知することができ、例えば、何れかのセルの端子間電圧が回生制限電圧未満であっても、温度の変動によって総電圧の差異が所定の程度を超えて小さくなる場合には、回生制御を開始することにより、滑らかに回生量を低減させることができ、車両の走行状態に過剰に急激な変化が生じることを防止することができる。
【０００８】
【発明の実施の形態】
以下、本発明の一実施形態に係る車載モータの回生制御装置について添付図面を参照しながら説明する。
本実施の形態による車載モータの回生制御装置１０は、例えば燃料電池車両やハイブリッド車両等の車両に搭載されており、例えば図１に示すように、燃料電池１１と、電流・電圧制御器１２と、キャパシタ１３と、出力制御器１４と、走行用モータ１５と、保護装置１６と、制御装置１７と、記憶装置１８とを備えて構成される燃料電池車両においては、例えば、出力制御器１４と、保護装置１６と、制御装置１７と、記憶装置１８と、電流センサ２１と、電圧センサ２２と、キャパシタ温度センサ２３とを備えて構成されている。
【０００９】
燃料電池１１は、陽イオン交換膜等からなる固体高分子電解質膜を、アノード触媒およびガス拡散層からなる燃料極（アノード）と、カソード触媒およびガス拡散層からなる酸素極（カソード）とで挟持してなる電解質電極構造体を、更に一対のセパレータで挟持してなる燃料電池セルを多数組積層して構成されている。
燃料電池１１のアノードには、高圧の水素タンクによって水素からなる燃料ガス（反応ガス）が供給され、アノードのアノード触媒上で触媒反応によりイオン化された水素は、適度に加湿された固体高分子電解質膜を介してカソードへと移動し、この移動に伴って発生する電子が外部回路に取り出され、直流の電気エネルギーとして利用される。カソードには、例えば酸素を含む酸化剤ガス（反応ガス）である空気がエアーコンプレッサによって供給され、このカソードにおいて、水素イオン、電子及び酸素が反応して水が生成される。
【００１０】
燃料電池１１から取り出される発電電流は電流・電圧制御器１２に入力されており、この電流・電圧制御器１２には、蓄電装置をなす、例えば電気二重層コンデンサや電解コンデンサ等からなるキャパシタ１３が接続されている。
そして、燃料電池１１とキャパシタ１３は、出力制御器１４を介して、電気的負荷である走行用モータ１５に対して並列に接続されている。
電流・電圧制御器１２は、例えばＤＣ−ＤＣチョッパ等を備えて構成されており、制御装置１７から出力される電流指令値つまり燃料電池１１に対する発電指令に基づいて、燃料電池１１から取り出される発電電流の電流値を制御する。
【００１１】
出力制御器１４は、例えばパルス幅変調（ＰＷＭ）によるＰＷＭインバータを備えており、制御装置１７から出力される制御指令に応じて走行用モータ１５の駆動および回生動作を制御する。例えば走行用モータ１５の駆動時には、制御装置１７から出力されるトルク指令に基づき、電流・電圧制御器１２およびキャパシタ１３から出力される直流電力を３相交流電力に変換して走行用モータ１５へ供給する。一方、走行用モータ１５の回生時には、走行用モータ１５から出力される３相交流電力を直流電力に変換し、キャパシタ１３を充電する。
なお、走行用モータ１５は、例えば界磁として永久磁石を利用する永久磁石式の３相交流同期モータとされており、出力制御器１４から供給される３相交流電力により駆動制御されると共に、車両の減速時に駆動輪側から走行用モータ１５側に駆動力が伝達されると、走行用モータ１５は発電機として機能していわゆる回生制動力を発生し、車体の運動エネルギーを電気エネルギーとして回収する。
【００１２】
キャパシタ１３は、例えば電気二重層コンデンサや電解コンデンサ等からなる複数のキャパシタセルが直列に接続されて構成されており、キャパシタ１３には各キャパシタセルの入出力端子に接続された電圧検出線を介して保護装置１６が接続されている。
保護装置１６は、例えば、各キャパシタセルの端子間電圧（セル電圧）を検出するセル電圧検出回路と、各キャパシタセルへ通電される充電電流をバイパスし、各キャパシタセルを放電可能なバイパス回路と、バイパス制御部と、セル電圧判定部とを備えて構成され、セル電圧検出回路およびバイパス回路は、電圧検出線を介して各キャパシタセルに並列に接続されている。
【００１３】
バイパス回路は、例えば、バイパス抵抗およびバイパス抵抗への通電のオン／オフを切替可能なスイッチング素子を備えて構成されている。
バイパス制御部は、バイパス回路のスイッチング素子のオン／オフ動作を制御しており、制御装置１７から出力される制御指令や、キャパシタセルのセル電圧が所定の回生制限電圧ＶＲ（例えば、ＶＲ＝２．５Ｖ）を超えたことを示す判定結果に応じて、スイッチング素子をオン状態に設定する論理「ハイ」レベルのオン信号を出力する。これにより、対応するキャパシタセルはバイパス抵抗を介して放電すると共に、このキャパシタセルへ通電される充電電流はバイパス抵抗へバイパスされるようになっている。
セル電圧判定部は、各セル電圧が、所定の回生制限電圧ＶＲ（例えば、ＶＲ＝２．５Ｖ）や、回生制限電圧ＶＲよりも大きな値の回生禁止電圧ＶＵ（例えば、ＶＵ＝２．７Ｖ）等の各判定値を超えたか否かを判定し、各判定結果をバイパス制御部や制御装置１７へ出力する。
【００１４】
制御装置１７は、例えば、車両の運転状態や、燃料電池１１のアノードに供給される反応ガスに含まれる水素の濃度や、燃料電池１１のアノードから排出される排出ガスに含まれる水素の濃度や、燃料電池１１の発電状態、例えば各複数の燃料電池セルの出力電圧や、燃料電池１１から取り出される発電電流等に基づき、エアーコンプレッサおよび水素タンクから燃料電池１１へ供給される各反応ガスの流量に対する指令値を出力し、燃料電池１１の発電状態を制御すると共に、燃料電池１１に対する発電指令を電流・電圧制御器１２へ出力し、燃料電池１１から取り出される発電電流の電流値を制御する。
【００１５】
また、制御装置１７は、出力制御器１４に具備されたＰＷＭインバータの電力変換動作を制御しており、例えば走行用モータ１５の駆動時においては、運転者によるアクセルペダルの踏み込み操作量等に係るアクセル開度の信号に基づいてトルク指令を算出する。そして、制御装置１７が、このトルク指令を出力制御器１４に入力することで、トルク指令に応じたパルス幅変調信号がＰＷＭインバータに入力され、要求されたトルクを発生させるための各相電流が走行用モータ１５の各相へと出力される。
このため、制御装置１７には、例えば、燃料電池１１から取り出される発電電流の電流値を検出する電流センサ２１から出力される検出信号と、アクセル開度センサ３１から出力される検出信号と、運転者によるブレーキ操作の有無を検知するブレーキスイッチ３２から出力される信号と、車両の作動を指示するＩＧスイッチ３３から出力される信号とが入力されている。
【００１６】
さらに、制御装置１７は、保護装置１６のセル電圧判定部から出力される各判定結果、つまり各セル電圧が、所定の回生制限電圧ＶＲや回生禁止電圧ＶＵ等の各判定値を超えたか否かの判定結果と、キャパシタ１３の状態、例えばキャパシタ１３の温度や、複数のキャパシタセルのセル電圧の和である総電圧の検出値（総電圧検出値ＳＶＥ）に基づき、走行用モータ１５の回生動作を制御する。
例えば、制御装置１７は、後述するように、何れかのキャパシタセルのセル電圧が所定の回生制限電圧ＶＲを超えたと判定されたときに、このキャパシタセルのセル電圧が回生禁止電圧ＶＵに到達するときの総電圧（つまり、総電圧上限値の予測値ＳＶＵ）を予測する。そして、予測した総電圧上限値の予測値ＳＶＵと、この時点でキャパシタ温度センサ２３により検出されるキャパシタ１３の温度（キャパシタ温度）とを対応させると共に、後述するセルの温度特性に基づき、検出された温度以外の温度に対して総電圧上限値の予測値ＳＶＵを予測し、総電圧上限値の予測値ＳＶＵの温度依存性のデータを生成し、記憶装置１８に記憶する。
【００１７】
そして、制御装置１７は、何れかのキャパシタセルのセル電圧が回生禁止電圧ＶＵに到達するまでの期間に加えて、回生制限電圧ＶＲを超えたと判定されたキャパシタセルのセル電圧が回生制限電圧ＶＲ以下となった状態であっても、キャパシタ温度センサ２３により検出されるキャパシタ１３の温度に応じた総電圧上限値の予測値ＳＶＵと、検出した総電圧検出値ＳＶＥとの偏差に応じて走行用モータ１５の回生動作を制御する。例えば、制御装置１７は、偏差が小さくなることに伴い、回生量が減少するように、あるいは、偏差が大きくなることに伴い、回生量が増大するように設定する。
このため、制御装置１７には、キャパシタ１３に並列に接続され、セル電圧の総和である総電圧を検出する電圧センサ２２から出力される検出信号と、キャパシタ１３の温度を検出するキャパシタ温度センサ２３から出力される検出信号とが入力されている。
【００１８】
本実施の形態による車載モータの回生制御装置１０は上記構成を備えており、次に、この車載モータの回生制御装置１０の動作、特に走行用モータ１５の回生動作に対し、回生量（例えば、出力制御器１４から出力される回生電流の電流値等）を制御する処理について添付図面を参照しながら説明する。
【００１９】
先ず、例えば図２に示すステップＳ０１においては、キャパシタ１３の各キャパシタセルのセル電圧を検出する。
次に、ステップＳ０２においては、何れかのセル電圧が所定の回生制限電圧ＶＲ（例えば、ＶＲ＝２．５Ｖ）を超えたか否かを判定する。
この判定結果が「ＹＥＳ」の場合には、後述するステップＳ０５に進む。
一方、この判定結果が「ＮＯ」の場合には、ステップＳ０３に進む。
ステップＳ０３においては、何れかのセル電圧が所定の回生制限電圧ＶＲを超えた後に総電圧上限値の予測値ＳＶＵを予測したことを示すフラグＦのフラグ値にゼロを設定して、フラグＦをリセットする。
そして、ステップＳ０４においては、キャパシタ１３の現在の温度の検出値に対応する総電圧上限値の予測値ＳＶＵを、記憶装置１８に記憶した総電圧上限値の予測値ＳＶＵの温度依存性のデータから検索し、キャパシタ１３の現在の温度の検出値に対応する総電圧上限値の予測値ＳＶＵと、総電圧検出値ＳＶＥとの偏差に応じて、例えば所定の回生量テーブルのテーブル検索等により回生量を設定し、この回生量によって走行用モータ１５の回生動作を制御し、一連の処理を終了する。
なお、ステップＳ０４における所定の回生量テーブルは、例えば総電圧検出値ＳＶＥと総電圧上限値の予測値ＳＶＵとの偏差が所定偏差以上となるときに、回生動作に対する規制が解除されるようにして、偏差の増大に伴って規制の程度が小さくなるように、つまり規制の無い状態での回生量（例えば、回生電流の電流値等）を１００％として、偏差の増大に伴って回生量が０％から１００％まで増大傾向に変化するように設定されている。
【００２０】
また、ステップＳ０５においては、バイパス処理として、各キャパシタセルに並列に接続されたバイパス回路のスイッチング素子をオン状態に設定し、バイパス抵抗を介してキャパシタセルを放電すると共に、キャパシタセルへ通電される充電電流をバイパス抵抗へバイパスさせる。
次に、ステップＳ０６においては、何れかのセル電圧が、回生制限電圧ＶＲよりも大きな値の所定の回生禁止電圧ＶＵ（例えば、ＶＵ＝２．７Ｖ）を超えたか否かを判定する。
この判定結果が「ＹＥＳ」の場合には、後述するステップＳ１１に進む。
一方、この判定結果が「ＮＯ」の場合には、ステップＳ０７に進む。
【００２１】
ステップＳ０７においては、フラグＦのフラグ値がゼロか否かを判定する。
この判定結果が「ＮＯ」の場合には、上述したステップＳ０４に進む。
一方、この判定結果が「ＹＥＳ」の場合には、ステップＳ０８に進む。
ステップＳ０８においては、何れかのセル電圧が所定の回生制限電圧ＶＲを超えたと判定されたときに検出したキャパシタ温度において、所定の回生制限電圧ＶＲを超えたキャパシタセルのセル電圧が、回生禁止電圧ＶＵに到達するときの総電圧（総電圧上限値の予測値ＳＶＵ）を予測し、検出されたキャパシタ温度と対応させて記憶装置１８に記憶する。
ここでは、例えば、この時点で検出されるキャパシタ１３の総電圧（総電圧検出値ＳＶＥ）に、回生禁止電圧ＶＵと回生制限電圧ＶＲとの差分のキャパシタセルの個数Ｎ分の総和（（ＶＵ−ＶＲ）×Ｎ）を加算して得た値を、総電圧上限値の予測値ＳＶＵとして設定する。
【００２２】
そして、ステップＳ０９においては、何れかのセル電圧が所定の回生制限電圧ＶＲを超えたと判定されたときに検出したキャパシタ温度以外の温度において、所定の回生制限電圧ＶＲを超えたキャパシタセルのセル電圧が、回生禁止電圧ＶＵに到達するときの総電圧（総電圧上限値の予測値ＳＶＵ）を予測して記憶装置１８に記憶する。
ここでは、例えば図３に示すように、予め、キャパシタ１３の温度に応じた総電圧上限値の予測値ＳＶＵの変化を示す適宜のデータ（例えば、図３に示す実線Ａ）を予め記憶装置１８に記憶しておく。そして、何れかのセル電圧が所定の回生制限電圧ＶＲを超えたと判定された時点で検出されたキャパシタ１３の温度（例えば、図３での温度Ｔ０）に対して、データから得られる総電圧上限値の予測値ＳＶＵ（例えば、図３での電圧ＶＡ）が、総電圧検出値ＳＶＥ（例えば、図３での電圧ＶＣ）に基づいて予測された総電圧上限値の予測値ＳＶＵ（例えば、図３での電圧ＶＢ）と同等になるようにデータの較正を行い（例えば、図３において総電圧上限値の予測値ＳＶＵの軸に沿って実線Ａを平行移動させ）、総電圧上限値の予測値ＳＶＵの温度依存性のデータ（例えば、図３に示す点線Ｂ）を生成し、記憶装置１８に記憶する。
これにより、現在検出したキャパシタ１３の温度（例えば、図３での温度Ｔ０）以外の他の温度において、セル電圧が回生禁止電圧ＶＵに到達するときのキャパシタ１３の総電圧上限値を予測することができる。
【００２３】
そして、ステップＳ１０においては、何れかのセル電圧が所定の回生制限電圧ＶＲを超えた後に総電圧上限値の予測値ＳＶＵを予測したことを示すフラグＦのフラグ値に１を設定し、上述したステップＳ０４に進む。
また、ステップＳ１１においては、走行用モータ１５の回生動作を禁止、つまり回生量を０％に設定して、一連の処理を終了する。
【００２４】
上述したように、本実施の形態による車載モータの回生制御装置１０によれば、何れかのセル電圧が所定の回生制限電圧ＶＲを超えたと判定されたときに検出したキャパシタ温度以外の温度において、所定の回生制限電圧ＶＲを超えたキャパシタセルのセル電圧が回生禁止電圧ＶＵに到達するときの総電圧（総電圧上限値の予測値ＳＶＵ）を予測することができる。
さらに、何れかのセル電圧が回生制限電圧ＶＲを超える毎に予測した総電圧上限値の予測値ＳＶＵの温度依存性のデータを記憶しておき、この記憶されたデータからキャパシタ１３の現在の温度の検出値に対応する総電圧上限値の予測値ＳＶＵを検索し、この総電圧上限値の予測値ＳＶＵと総電圧検出値ＳＶＥとの偏差に応じて走行用モータ１５の回生動作による回生量を制御することで、回生量を滑らかに変更することができ、車両の走行状態に過剰に急激な変化が生じることを防止することができる。
これにより、例えば総電圧上限値の予測値ＳＶＵの温度依存性のデータの作成後にセル電圧が回生制限電圧ＶＲ未満となっても、キャパシタ１３の温度の変動に伴って総電圧上限値の予測値ＳＶＵと総電圧検出値ＳＶＥとの偏差が所定の程度を超えて小さくなる場合には、偏差に応じた回生制御を開始することにより、滑らかに回生量を低減させることができる。
【００２５】
なお、上述した実施の形態においては、何れかのセル電圧が回生制限電圧ＶＲを超えたと判定される毎に、総電圧検出値ＳＶＥに基づいて総電圧上限値の予測値ＳＶＵの温度依存性のデータが更新されるように設定したが、これに加えて、例えばデータの更新を許可する開始温度（例えば、図３に示す温度Ｔ２）や、例えば設定された温度依存性のデータの使用を解除する解除温度（例えば、図３に示す温度Ｔ１）等を設けてもよい。
すなわち、検出されるキャパシタ１３の温度が上昇傾向に変化する際に、開始温度未満の場合には、予め記憶装置１８に記憶している総電圧上限値の予測値ＳＶＵの温度依存性のデータを総電圧検出値ＳＶＥによって較正する処理は実行せず、キャパシタ１３の温度が開始温度以上となった場合に較正処理を実行する。
また、検出されるキャパシタ１３の温度が低下傾向に変化する際に、解除温度以上の場合には、較正処理によって得られた総電圧上限値の予測値ＳＶＵの温度依存性のデータにより総電圧上限値の予測値ＳＶＵを算出し、キャパシタ１３の温度が解除温度未満となった場合には、較正処理によって得られたデータは使用せず、予め記憶装置１８に記憶している総電圧上限値の予測値ＳＶＵの温度依存性のデータにより総電圧上限値の予測値ＳＶＵを算出する。
これにより、例えばキャパシタ１３の温度の変動に伴って、各キャパシタセル同士の間のセル電圧のばらつきが増大し、較正処理によって得られた総電圧上限値の予測値ＳＶＵの温度依存性のデータの誤差が増大する場合であっても、総電圧上限値の予測値ＳＶＵに対する予測精度が過剰に低下してしまうことを防止することができる。
【００２６】
なお、上述した実施の形態においては、ステップＳ１１において走行用モータ１５の回生動作を禁止するとしたが、これに限定されず、例えば走行用モータ１５の回生量をゼロ近傍の値まで低減させてもよい。
【００２７】
なお、上述した実施の形態においては、走行用モータ１５と電気エネルギーの授受を行う蓄電装置をキャパシタ１３としたが、これに限定されず、例えばリチウムイオン電池等の二次電池からなる複数のセルを直列に接続してなる組電池等であってもよい。
【００２８】
【発明の効果】
以上説明したように、請求項１に記載の本発明の車載モータの回生制御装置によれば、検出されるキャパシタの温度に応じて、何れかのセルの端子間電圧が回生禁止電圧に到達するときの総電圧の予測値が変動する場合であっても、適切なタイミングで、総電圧の差異に応じた回生制御を開始することができる。すなわち、総電圧の予測値の温度依存性のデータを作成しておくことにより、検出される総電圧と予測される総電圧との差異の温度に応じた変化を検知することができ、例えば、何れかのセルの端子間電圧が回生制限電圧未満であっても、温度の変動によって総電圧の差異が所定の程度を超えて小さくなる場合には、回生制御を開始することにより、滑らかに回生量を低減させることができ、車両の走行状態に過剰に急激な変化が生じることを防止することができる。
【図面の簡単な説明】
【図１】本発明の一実施形態に係る車載モータの回生制御装置の構成図である。
【図２】図１に示す車載モータの回生制御装置の動作を示すフローチャートである。
【図３】総電圧上限値の予測値ＳＶＵのキャパシタの温度に応じた変化の一例を示す図である。
【符号の説明】
１０  車載モータの回生制御装置
１３  キャパシタ（蓄電装置）
１５  走行用モータ（車載モータ）
１８  記憶装置（記憶手段）
２２  電圧センサ（電圧検出手段）
２３  キャパシタ温度センサ（温度検出手段）
ステップＳ０２                    セル電圧判定手段
ステップＳ０４                    回生制御手段
ステップＳ０９                    総電圧予測手段
ステップＳ１０                    温度変化予測手段
【図１】
2004180394.tif 000003
【図２】
2004180394.tif 000004
【図３】
2004180394.tif 000005